(57)【特許請求の範囲】
【請求項１】
被印字テープを搬送する搬送手段、及び、前記搬送手段により搬送される前記被印字テープに対し所望の印字を行う印字手段を有し、前記所望の印字を前記被印字テープに形成し印字ラベルを作成する印字ラベル作成装置に対して接続可能に構成されると共に、前記印字ラベルの作成に係わる複数のコンテンツを格納したコンテンツサーバに対し情報送受信可能に接続された、操作端末の演算手段に対し、
操作者による、操作対象とする前記印字ラベル作成装置の選択を受け付ける装置選択受付手順と、
前記装置選択受付手順で選択を受け付けた前記印字ラベル作成装置の識別情報を、前記コンテンツサーバへ送信する識別情報送信手順と、
前記識別情報送信手順で送信された前記印字ラベル作成装置の識別情報に対応した、複数の前記コンテンツの識別情報を含むコンテンツリストを、前記コンテンツサーバより取得する、リスト取得手順と、
前記装置選択受付手順で選択を受け付けた前記印字ラベル作成装置とは異なる機種である他の印字ラベル作成装置に係わる他装置コンテンツの、前記コンテンツサーバからのインストール履歴を取得する他装置コンテンツ履歴取得手順と、
前記他装置コンテンツ履歴取得手順で取得された前記他装置コンテンツのインストール履歴に応じて、前記リスト取得手順で取得された前記コンテンツリストに含まれる前記複数のコンテンツの識別情報を並べ替える並べ替え手順と、
前記並べ替え手順で並べ替えられた前記複数のコンテンツの識別情報を、選択可能に表示するコンテンツ表示手順と、
前記コンテンツ表示手順で表示された前記複数の前記コンテンツの識別情報のうち、前記操作者が選択した少なくとも１つの特定のコンテンツの、前記操作端末又は前記印字ラベル作成装置へのインストール処理を行うインストール処理手順と、
を実行させるための、コンテンツ処理プログラム。
【請求項２】
請求項１記載のコンテンツ処理プログラムにおいて、
前記並べ替え手順は、
前記リスト取得手順で取得された前記コンテンツリストに含まれる前記複数のコンテンツの識別情報のうち、前記他装置コンテンツ履歴取得手順でインストール履歴が取得された前記他装置コンテンツと同一又は類似するカテゴリに属するコンテンツの優先順位が高くなるように、並べ替えを行う
ことを特徴とするコンテンツ処理プログラム。
【請求項３】
請求項１又は請求項２記載のコンテンツ処理プログラムにおいて、
前記操作端末の前記演算手段に対し、さらに
前記装置選択受付手順で選択を受け付けた前記印字ラベル作成装置にアクセスし、当該印字ラベル作成装置による前記印字ラベルの作成履歴に基づく、前記被印字テープの属性別の使用頻度情報を取得するテープ属性情報取得手順を実行させ、
前記並べ替え手順は、
前記他装置コンテンツ履歴取得手順で取得された前記他装置コンテンツのインストール履歴と、前記テープ属性情報取得手順で取得された前記被印字テープの属性別の使用頻度情報と、に応じて、前記複数のコンテンツの識別情報を並べ替える
ことを特徴とするコンテンツ処理プログラム。
【請求項４】
請求項１又は請求項２記載のコンテンツ処理プログラムにおいて、
前記操作端末の前記演算手段に対し、さらに
前記装置選択受付手順で選択を受け付けた前記印字ラベル作成装置にアクセスし、当該印字ラベル作成装置による前記印字ラベルの作成履歴に基づく、作成時に使用したコンテンツのカテゴリ別の使用頻度情報を取得するコンテンツカテゴリ情報取得手順を実行させ、
前記並べ替え手順は、
前記他装置コンテンツ履歴取得手順で取得された前記他装置コンテンツのインストール履歴と、前記コンテンツカテゴリ情報取得手順で取得された前記コンテンツのカテゴリ別の使用頻度情報と、に応じて、前記複数のコンテンツの識別情報を並べ替える
ことを特徴とするコンテンツ処理プログラム。
【請求項５】
被印字テープを搬送する搬送手段、及び、前記搬送手段により搬送される前記被印字テープに対し所望の印字を行う印字手段を有し、前記所望の印字を前記被印字テープに形成し印字ラベルを作成する印字ラベル作成装置に対して接続可能に構成されると共に、前記印字ラベルの作成に係わる複数のコンテンツを格納したコンテンツサーバに対し情報送受信可能に接続された、操作端末が実行する、コンテンツ情報処理方法であって、
操作者による、操作対象とする前記印字ラベル作成装置の選択を受け付ける装置選択受付手順と、
前記装置選択受付手順で選択を受け付けた前記印字ラベル作成装置の識別情報を、前記コンテンツサーバへ送信する識別情報送信手順と、
前記識別情報送信手順で送信された前記印字ラベル作成装置の識別情報に対応した、複数の前記コンテンツの識別情報を含むコンテンツリストを、前記コンテンツサーバから取得する、リスト取得手順と、
前記装置選択受付手順で選択を受け付けた前記印字ラベル作成装置とは異なる機種である他の印字ラベル作成装置に係わる他装置コンテンツの、前記コンテンツサーバからのインストール履歴を取得する他装置コンテンツ履歴取得手順と、
前記他装置コンテンツ履歴取得手順で取得された前記他装置コンテンツのインストール履歴に応じて、前記リスト取得手順で取得された前記コンテンツリストに含まれる前記複数のコンテンツの識別情報を並べ替える並べ替え手順と、
前記並べ替え手順で並べ替えられた前記複数のコンテンツの識別情報を、選択可能に表示するコンテンツ表示手順と、
前記コンテンツ表示手順で表示された前記複数の前記コンテンツの識別情報のうち、前記操作者が選択した少なくとも１つの特定のコンテンツの、前記操作端末又は前記印字ラベル作成装置へのインストール処理を行うインストール処理手順と、
を有することを特徴とするコンテンツ情報処理方法。
【発明の詳細な説明】
【技術分野】
【０００１】
本発明は、印字ラベル作成装置を操作可能な操作端末において実行されるコンテンツ処理プログラム及びコンテンツ情報処理方法に関する。
【背景技術】
【０００２】
例えばパソコン等の操作端末からの操作により、所望の印字ラベルを作成する印字ラベル作成システムが、既に知られている（特許文献１参照）。このシステムでは、操作者が操作端末（コンピュータ装置）を操作して作成したい印字ラベル（粘着材付ラベル）の印字内容を特定すると、対応する印字データが操作端末から印字ラベル作成装置（テープ印字装置）へと送信される。そして、印字ラベル作成装置に備えられた印字手段（サーマルヘッド）によって当該印字データに対応した印字が被印字媒体（ラミネートフィルム）に対し実行され、印字ラベルが作成される。
【０００３】
例えば、上記印字ラベル作成システムにおいて、操作者が所望の態様の印字ラベルを簡単に作成できるように、コンテンツの一種である定型印字情報（いわゆるテンプレート）が用いられる場合がある。操作者は、操作端末で表示した定型印字情報の内容を確認した後、印字ラベル作成装置に当該定型印字情報を転送することで、当該定型印字情報を用いた印字ラベルを作成することができる。また、上記定型印字情報以外にも、アプリケーションプログラム等のソフトウェアや画像等、適宜の印字ラベル作成用のコンテンツが上記同様にして用いられる場合がある。
【先行技術文献】
【特許文献】
【０００４】
【特許文献１】特開２００６−９９２６１号公報
【発明の概要】
【発明が解決しようとする課題】
【０００５】
ところで、上述のようにして操作端末で用いられるコンテンツについて、バージョンアップが行われたり、新しい機能が追加される場合がある。このような場合には、当該コンテンツのアップデート（更新）を行う必要がある。一般に、上述のような印字ラベル作成システムでは、コンテンツサーバに、印字ラベルの作成に係わる新旧各バージョンのコンテンツが、順次蓄積されて格納されている。印字ラベル作成用のコンテンツのアップデートを行いたい場合には、まず、操作者が操作端末で適宜の操作を行うことで、アップデート候補となる（＝インストール対象となる）コンテンツの名称等がディスプレイ等にリスト表示される。そして、当該表示されたコンテンツのうち少なくとも１つを操作者が特定し適宜の操作を行うことにより、当該選択されたアップデート候補のコンテンツがサーバからダウンロードされ、操作端末にインストールされる。
【０００６】
しかしながら、上記のようにインストール対象となりうるコンテンツがリスト表示されるとき、通常は、アルファベット順やサイズ順や作成日時順等の、予め固定的に定められた順序によって表示されるのが一般的である。この結果、リスト表示されるコンテンツの識別情報（例えば名称等）が比較的多数の場合に、操作者が操作端末にインストールしたい特定のコンテンツの識別情報が、表示された上記多数のコンテンツの識別情報の中に埋没してしまう（あるいは画面をスクロールしなければ見ることができない）おそれがある。この場合、操作者は、上記特定のコンテンツの識別情報をなかなか見つけることができず、非常に不便であった。
【０００７】
本発明の目的は、インストール対象とする特定のコンテンツを、操作者が、少ない操作労力で迅速かつ容易に見つけ出すことができる、コンテンツ処理プログラム及びコンテンツ情報処理方法を提供することにある。
【課題を解決するための手段】
【０００８】
上記目的を達成するために、本願発明は、被印字テープを搬送する搬送手段、及び、前記搬送手段により搬送される前記被印字テープに対し所望の印字を行う印字手段を有し、前記所望の印字を前記被印字テープに形成し印字ラベルを作成する印字ラベル作成装置に対して接続可能に構成されると共に、前記印字ラベルの作成に係わる複数のコンテンツを格納したコンテンツサーバに対し情報送受信可能に接続された、操作端末の演算手段に対し、操作者による、操作対象とする前記印字ラベル作成装置の選択を受け付ける装置選択受付手順と、前記装置選択受付手順で選択を受け付けた前記印字ラベル作成装置の識別情報を、前記コンテンツサーバへ送信する識別情報送信手順と、前記識別情報送信手順で送信された前記印字ラベル作成装置の識別情報に対応した、複数の前記コンテンツの識別情報を含むコンテンツリストを、前記コンテンツサーバより取得する、リスト取得手順と、前記装置選択受付手順で選択を受け付けた前記印字ラベル作成装置とは異なる機種である他の印字ラベル作成装置に係わる他装置コンテンツの、前記コンテンツサーバからのインストール履歴を取得する他装置コンテンツ履歴取得手順と、前記他装置コンテンツ履歴取得手順で取得された前記他装置コンテンツのインストール履歴に応じて、前記リスト取得手順で取得された前記コンテンツリストに含まれる前記複数のコンテンツの識別情報を並べ替える並べ替え手順と、前記並べ替え手順で並べ替えられた前記複数のコンテンツの識別情報を、選択可能に表示するコンテンツ表示手順と、前記コンテンツ表示手順で表示された前記複数の前記コンテンツの識別情報のうち、前記操作者が選択した少なくとも１つの特定のコンテンツの、前記操作端末又は前記印字ラベル作成装置へのインストール処理を行うインストール処理手順と、を実行させることを特徴とする。
【０００９】
本願発明においては、印字ラベルを作成する印字ラベル作成装置は、操作端末に接続することで当該操作端末を介し操作者が操作できるように構成されている。そして、操作端末は、コンテンツサーバに対し接続されている。コンテンツサーバには、印字ラベルの作成に係わる新旧各バージョンのコンテンツが、日々蓄積されて格納されている。
【００１０】
本願発明のコンテンツ処理プログラムが操作端末の演算手段で実行されると、まず装置選択受付手順で、操作が操作対象として意図する印字ラベル作成装置がどれであるか、の選択を受け付ける。その後、識別情報送信手順で、上記受け付けた印字ラベル作成装置の識別情報、言い換えれば、操作端末が操作する印字ラベル作成装置の識別情報が、コンテンツサーバへ送信される。コンテンツサーバは、受信した上記識別情報に基づいて対応するコンテンツを検索し、検索された複数のコンテンツの識別情報をコンテンツリストにして操作端末へ送信する。操作端末では、この送信されたコンテンツリストを、リスト取得手順でコンテンツサーバから取得する。取得したコンテンツリストに含まれる複数のコンテンツの識別情報は、コンテンツ表示手順で選択可能に表示される。
【００１１】
以上のようにして、操作対象となる印字ラベル作成装置の選択に応じてインストール対象となりうるコンテンツがリスト表示されるとき、通常は、アルファベット順やサイズ順や作成日時順等の、予め固定的に定められた順序によって表示されるのが一般的である。この結果、リスト表示されるコンテンツの識別情報が比較的多数の場合に、操作者が操作端末にインストールしたい特定のコンテンツの識別情報が表示された上記多数のコンテンツの識別情報の中に埋没してしまう（あるいは画面をスクロールしなければ見ることができない）おそれがある。この場合、操作者は、上記特定のコンテンツの識別情報をなかなか見つけることができず、非常に不便である。
【００１２】
そこで、本願発明では、当該操作者による、コンテンツの過去のインストール履歴を利用して、上記リストにおける表示態様を変化させる。具体的には、他の機種の印字ラベル作成装置に対する当該操作者によるコンテンツ（他装置コンテンツ）のインストール履歴が、他装置コンテンツ履歴取得手順で取得される。そして、並べ替え手順で、上記リスト取得手順で取得されるコンテンツリスト中の複数のコンテンツの識別情報が、上記他装置コンテンツのインストール履歴に応じて、並べ替えられる。すなわち、他の機種の印字ラベル作成装置に対するコンテンツのインストールの挙動であっても、同一の操作者に係わるものである限り、何らかの当該操作者に固有の共通性（同一・類似の用途に用いられる等）があるはずである。本願発明はこの点に着目し、他装置コンテンツのインストール履歴に対応した、上記並べ替えが行われる。
【００１３】
上記コンテンツ表示手順では、上記のようにして並べ替え手順で並べ替えられた複数のコンテンツの識別情報が表示される。その後、操作者が、コンテンツリストにおいて表示された上記複数のコンテンツの識別情報のうち、少なくとも１つの特定のコンテンツの識別情報を選択する。これにより、当該選択された特定のコンテンツの識別情報がコンテンツサーバへ送信され、インストール処理手順で、上記特定のコンテンツが操作端末又は印字ラベル作成装置へインストールされる。
【００１４】
以上のようにして、本願発明では、操作者が操作対象として意図する印字ラベル作成装置を選択すると、インストール候補となる複数のコンテンツが、当該操作者による他の機種の印字ラベル作成装置に対するインストール履歴を参照した並び順序でリスト表示される。これにより、コンテンツの識別情報が単にアルファベット順やサイズ順や作成日時順等で表示される場合に比べ、操作者は、インストールしたい特定のコンテンツの識別情報を、少ない操作労力で迅速かつ容易に見つけ出すことができる。この結果、操作者の利便性を向上することができる。
【発明の効果】
【００１５】
本発明によれば、インストール対象とする特定のコンテンツを、操作者が、少ない操作労力で迅速かつ容易に見つけ出すことができる。
【図面の簡単な説明】
【００１６】
【図１】本発明の一実施形態のコンテンツ情報処理方法を実行するコンテンツ情報処理システムの概略を表すシステム構成図である。
【図２】コンテンツ情報処理システムの各部詳細機能を表す機能ブロック図である。
【図３】インストール対象となりうるテンプレートがアルファベット順によってリスト表示される比較例における、操作端末での表示例を表す説明図である。
【図４】互いに機種の異なるラベルプリンタに対し、それぞれ別個に用意されたテンプレートの一覧を表す表である。
【図５】幅の狭いラベルを作成するラベルプリンタ用のテンプレートの一例を表す説明図である。
【図６】幅の広いラベルを作成するラベルプリンタ用のテンプレートの一例を表す説明図である。
【図７】幅の広いラベルを作成するラベルプリンタ用のテンプレートの他の例を表す説明図である。
【図８】インストール対象となりうるテンプレートが、別機種でのテンプレート使用履歴から類推した順序に並べ替えてリスト表示される、本発明の一実施形態における操作端末での表示例を表す説明図である。
【図９】操作端末のＣＰＵによって実行される制御手順を表すフローチャートである。
【図１０】操作端末の表示部の表示例を表す説明図である。
【図１１】テープ幅別印刷回数を加味して並べ替える変形例における、操作端末のＣＰＵによって実行される制御手順を表すフローチャートである。
【発明を実施するための形態】
【００１７】
以下、本発明の一実施の形態を図面を参照しつつ説明する。
【００１８】
＜システム概略構成＞
本実施形態のコンテンツ情報処理方法を実行するコンテンツ情報処理システム全体の構成を図１及び図２により説明する。図１において、コンテンツ情報処理システム１は、コンテンツサーバＳＶと、例えば汎用パーソナルコンピュータで構成される操作端末２と、例えばＵＳＢ等のインターフェースを介して操作端末２に接続されたラベルプリンタ３（印字ラベル作成装置）と、を有している。そして、コンテンツサーバＳＶ及び操作端末２は、上記ネットワークＮＷを介して互いに接続されている。
【００１９】
ラベルプリンタ３は、操作端末２との間で各種の情報や指示信号を送受し、操作端末２での操作者の操作に基づき、所望の文字や図形などの印字を備えた印字ラベルＬを作成する（後述のラベルプリンタ３′も同様）。ここで、本実施形態では、複数種類のラベルプリンタがネットワークＮＷに対し接続可能であり、操作端末２は、それら複数種類のラベルプリンタをいずれか１つを選択的に（又は同時に）ネットワークＮＷを介して操作可能である。図１では、相対的に幅が狭い印字ラベルＬを作成するラベルプリンタ３がネットワークＮＷに接続され、操作端末２より操作可能となっている状態を示している。そしてまた、図１は、それより以前の過去の適宜の時期において、相対的に幅が広い印字ラベルＬを作成するラベルプリンタ３′がネットワークＮＷに接続され、操作端末２より操作可能となっていたことを表している（図１中の想像線参照）。以下では、上記２つのラベルプリンタ３及びラベルプリンタ３′を意図的に区別する場合を除き、適宜、ラベルプリンタ３，３′の２つを総称し単に「ラベルプリンタ３等」と称する。本実施形態では、コンテンツとして、ラベルプリンタ３等での印字ラベルＬの作成に用いられるテンプレート（詳細は後述）が、コンテンツサーバＳＶから操作端末２へと提供される場合を例にとって説明する。
【００２０】
操作端末２は、図２に示すように、ＣＰＵ１２（演算手段）と、例えばＲＡＭやＲＯＭ等からなるメモリ１３と、操作者からの指示や情報が入力される操作部１４と、各種情報やメッセージを表示する表示部１７と、コンテンツサーバＳＶやラベルプリンタ３等との情報信号の授受の制御を行う通信制御部１５と、を備えている。
【００２１】
メモリ１３の上記ＲＯＭは、後述の図９及び図１１のフローに示す各手順を実行するコンテンツ処理プログラムを記憶している。また、メモリ１３には、ラベルプリンタ３等におけるコンテンツサーバＳＶからのテンプレートの過去のインストール履歴を順次保存しておくための機種別インストール履歴格納部１３ａと、コンテンツサーバＳＶから受信したテンプレートリスト（コンテンツリスト）を記憶するためのテンプレート格納部１３ｂを備えている。これら格納部１３ａ，１３ｂの詳細機能については後述する。
【００２２】
コンテンツサーバＳＶは、図２に示すように、ＣＰＵ１２０と、例えばＲＡＭやＲＯＭ等からなるメモリ１３０と、ネットワークＮＷを介して操作端末２との情報信号の授受の制御を行う通信制御部１５０と、大容量記憶装置１６０と、を備えている。大容量記憶装置１６０は例えばハードディスク装置から構成されており、例えば、印字ラベルＬの作成に係わる操作端末２用の複数のテンプレート（詳細は後述）、等の各種情報を格納している。
【００２３】
ＣＰＵ１２０及びＣＰＵ１２は、ＲＡＭの一時記憶機能を利用しつつＲＯＭに予め記憶されたプログラムに従って信号処理を行う。操作端末２のＣＰＵ１２は、上記信号処理により、ラベルプリンタ３等との間で、各種の指示信号・情報信号の送受を行う。コンテンツサーバＳＶのＣＰＵ１２０は、上記信号処理により、操作端末２との間で、ネットワークＮＷを通じて各種の指示信号・情報信号の送受を行う。
【００２４】
ラベルプリンタ３及びラベルプリンタ３′は、図２に示すように、被印字媒体としてのテープ（＝被印字テープ。本来は渦巻き状であるが簡略化して同心円で図示している）２０３を巻回したテープロール２０４を着脱可能な（又はテープロール２０４を備えたカートリッジを着脱可能な）テープロールホルダ部２１０と、このテープロール２０４から繰り出されたテープ２０３に所望の印字を行う印字ヘッド２０５（印字手段）と、印字が終了したテープ２０３を所定の長さに切断して印字ラベルＬとするカッタ２０７と、印字ヘッド２０５に対向して設けられ、制御回路２０２により制御されてテープロール２０４からのテープ２０３を搬送する搬送装置２０９（搬送手段）と、上記操作端末２の操作部１４と同様、操作者からの指示や情報が入力される操作部２０６と、を有する。また制御回路２０２は、通信制御部２０８を介し操作端末２の上記通信制御部１５に接続され、さらにネットワークＮＷを介してコンテンツサーバＳＶの通信制御部１５０と接続されている。この結果、ラベルプリンタ３等は、操作端末２及びコンテンツサーバＳＶと情報の送受が可能となっている。なお、制御回路２０２はメモリ２０２Ａを備えており、このメモリ２０２Ａには、例えば、ラベルプリンタ３等によってラベル印刷される際のテープ幅別の印刷回数の情報が記憶されている（後述する変形例参照）。
【００２５】
＜テンプレート＞
本実施形態では、コンテンツサーバＳＶの大容量記憶装置１６０に、例えば予め作成されアップロードされたラベルイメージからなる、複数種類のテンプレートが書き換え不能（又は適宜に書き換え可能であってもよい）に記憶されている。各テンプレートＴは、例えば操作端末２の操作部１４における適宜の操作者の操作（詳細は後述）により、大容量記憶装置１６から読み出されてダウンロードされ、ネットワークＮＷを介し、操作端末２のメモリ１３におけるテンプレート格納部１３ｂへインストールされる。
【００２６】
＜本実施形態の特徴＞
上述したように、本実施形態においては、印字ラベルＬを作成するラベルプリンタ３等は、操作端末２に接続することで当該操作端末２を介し操作者が操作できるように構成されている。そして、操作端末２は、コンテンツサーバＳＶに対し接続されている。コンテンツサーバＳＶには、印字ラベルＬの作成に係わる新旧各バージョンのテンプレートＴが、日々蓄積されて格納されている。例えば、操作者は、操作するラベルプリンタ３等に対応するテンプレートの蓄積状況を知るために、操作端末２における適宜の操作により、ラベルプリンタ３等の識別情報（例えば機種名等）を選択又は入力すると、当該識別情報がコンテンツサーバＳＶへ送信される。すると、コンテンツサーバＳＶは、受信した上記識別情報に基づいて対応するテンプレートＴを検索し、検索された複数のテンプレートＴの識別情報をリストアップして操作端末２へ送信する。操作端末２では、当該テンプレートＴの識別情報のリストを一覧可能に表示する。本実施形態の特徴は、このようなリストの表示を行う場合に、操作者によるテンプレートＴの過去のインストール履歴を利用して、上記リストアップ時における表示態様を変化させることにある。以下、その内容を順を追って説明する。
【００２７】
＜比較例＞
まず、本実施形態の手法に対する比較例として、インストール対象となりうるテンプレートＴが、予め固定的に定められた順序（例えばアルファベット順）によってリスト表示される場合を、図３を用いて説明する。図３は、この比較例における、操作端末２の表示部１７の表示例を表す説明図である。
【００２８】
図３において、例えば、操作端末２の上記表示部１７に表示された機器表示ボックス１７ａにおいて、操作者が、操作する特定の機種として例えばラベルプリンタ３の識別情報（この例では「ＰＴ−２７３０」という機種名）を選択する。すると、コンテンツサーバＳＶにおいて、当該機種に対応した、全てのテンプレート（新旧の全バージョンを含む）が検索される。そして、その検索結果が、操作端末２の表示部１７のファイル一覧ボックス１７ｂに一覧表示される。
【００２９】
このときの一覧表示は、通常、予め固定的に定められた順序（アルファベット順やサイズ順や作成日時順等）によって表示される。この例では、上から下へ向かって、「Ａｍｕｓｅｍｅｎｔ」テンプレート、「Ｂａｂｙｓｉｔｔｉｎｇ」テンプレート、「Ｃａｂｉｎ」テンプレート、「Ｄａｉｌｙ」テンプレート、「Ｅａｒｔｈ」テンプレート、「Ｆｉｌｅ」テンプレート・・の順番、すなわちアルファベット順で、各種のテンプレートの識別情報（この例では、詳細には、カテゴリ別に複数のテンプレートがグループ化されたフォルダの識別名称）が一覧表示されている。
【００３０】
操作者は、上記のように一覧表示されたテンプレートの中から、自らがアップデートしたい特定のテンプレートを選択する。このとき、図示のように、リスト表示される識別情報が比較的多数の場合には、操作者がインストールしたい特定のテンプレートの識別情報が、上記多数のテンプレートの識別情報の中に埋没してしまうか、あるいは画面をスクロールしなければ見ることができない。この例では、上述の状態では操作者がインストールしたいテンプレートの識別情報（後述のように「Ｓｔｏｒｅ」テンプレートである）が表示されず、ファイル一覧ボックス１７ｂにて下方にスクロール操作されることで、・・「Ｎｕｍｂｅｒ」テンプレート、「Ｏｆｆｉｃｅ」テンプレート、「Ｐｒｉｖａｔｅ」テンプレート、「Ｑｕｅｓｔｉｏｎ」テンプレート、「Ｒａｄｉｏ」テンプレート、「Ｓｔｏｒｅ」テンプレート・・の順で後続の各テンプレートファイルが一覧表示されている。この結果、この例で操作者がインストールを意図する「Ｓｔｏｒｅ」テンプレートがファイル一覧ボックス１７ｂ内に表示されるようになり、インストール対象として選択（チェックボックスへのチェック）されている。これにより、コンテンツサーバＳＶから、最新の「Ｓｔｏｒｅ」テンプレートがダウンロードされて操作端末２にインストールされる。
【００３１】
上述のように、リスト表示される識別情報が比較的多数ある場合に、予め固定的に設定されている上記表示順序によっては、操作者は、自らがインストールしたい特定のテンプレートの識別情報をなかなか見つけることができず、非常に不便である。
【００３２】
＜実施形態の手法の概要＞
そこで、本実施形態では、上記操作負担の軽減のために、操作者によるテンプレートＴの過去のインストール履歴が活用される。その際、特に、現在インストールしようとしているテンプレートを使用する印字ラベル作成装置３とは異なる、過去に使用した印字ラベル作成装置３′でのテンプレートのインストール履歴が参照され、その履歴に応じてリスト表示の順序が決定される。以下、そのような本実施形態の手法の詳細を、図４〜図８を用いて説明する。
【００３３】
＜異なる種類のラベルプリンタ＞
上述したように、この例では、操作端末２は、幅が狭い印字ラベルＬを作成するラベルプリンタ３と、幅が広い印字ラベルＬを作成するラベルプリンタ３′とを操作可能である。ラベルプリンタ３は、例えばテープ幅が２４ｍｍ、１５ｍｍ、１２ｍｍ、８ｍｍ等である細幅の印字ラベルＬを作成する。一方、ラベルプリンタ３′は、例えばテープ幅が２９ｍｍ以上である広幅の印字ラベルＬを作成する。そして、本実施形態では、ラベルプリンタ３とラベルプリンタ３′とで、それぞれ別個に独自の種類のテンプレートが用意されている。
【００３４】
＜テンプレートの例＞
ラベルプリンタ３及びラベルプリンタ３′に用意されたテンプレートの一例を、図４に示す。図４中、ラベルプリンタ３は、機種名「ＰＴ−○○○○」で表されており、対応するテンプレート（前述と同様、詳細には、複数のテンプレートがグループ化されたフォルダ）として、「Ｓｔｏｒｅ」「Ｏｆｆｉｃｅ」「Ｇｏｏｄｓ」・・等が用意されている。図示のように、「Ｓｔｏｒｅ」はショップ（販売店等）における各種用途に適しており、「Ｏｆｆｉｃｅ」は企業（事務オフィス等）における各種用途に適しており、「Ｇｏｏｄｓ」は家庭における各種用途に適している。例えば上記「Ｓｔｏｒｅ」に含まれるテンプレートの一例を図５に示す。
【００３５】
図５に示すように、操作端末２の表示部１７に表示された入力操作画面１７Ａに、「ＳＡＬＥ」のテキストＲを含む、ラベル幅２４ｍｍのテンプレートＴが表示されている。このとき、入力操作画面１７Ａの上部には、機種名表示欄１７ｆ、ラベル印刷指示のための印刷ボタン１７ｇ、上記テキストＲの入力時の各種設定のためのフォーマット設定部１７ｈ及びフォント設定部１７ｉ等が設けられている。この「ＳＡＬＥ」テンプレートＴを用いてラベルプリンタ３によって作成された印字ラベルＬは、ラベル裏面に備えられた剥離紙（図示省略）を剥がすことで、貼り付け対象である商品等に直接貼り付けられる。そして、この印字ラベルＬは、上記「ＳＡＬＥ」の文字によって、当該商品が割引価格のセール品であることを表記する。なお、上記「Ｓｔｏｒｅ」に含まれるテンプレートとして、上記以外に、例えば「ｏｎ  ＳＡＬＥ」テンプレートや「ｆｏｒ  ＳＡＬＥ」テンプレート等があってもよい。
【００３６】
一方、図４中、ラベルプリンタ３′は、機種名「ＱＬ−○○○○」で表されており、対応するテンプレート（上記同様、詳細には、複数のテンプレートがグループ化されたフォルダ）として、「Ｂｏａｒｄ」「Ｓｔｒｕｃｔｕｒｅ」「Ｐａｃｋａｇｅ」・・等が用意されている。図示のように、「Ｂｏａｒｄ」はショップ（販売店等）における各種用途に適しており、「Ｓｔｒｕｃｔｕｒｅ」は企業（事務オフィス等）における各種用途に適しており、「Ｐａｃｋａｇｅ」は家庭における各種用途に適している。
【００３７】
例えば上記「Ｓｔｏｒｅ」に含まれるテンプレートの一例を図６に示す。図６に示すように、操作端末２の表示部１７に表示された入力操作画面１７Ａに、「ＯＰＥＮ」のテキストＲを含む、ラベル幅２９ｍｍのテンプレートＴが表示されている。この「ＯＰＥＮ」テンプレートＴを用いてラベルプリンタ３′によって作成された印字ラベルＬは、上記同様、ラベル裏面に備えられた剥離紙（図示省略）を剥がすことで、例えば店舗の出入口ドアに設けられるボードの一方側の面（表側の面）に貼り付けられる。そして、この印字ラベルＬは、上記「ＯＰＥＮ」の文字によって、当該店舗が営業時間中であることを表記する。
【００３８】
例えば上記「Ｓｔｏｒｅ」に含まれるテンプレートの他の例を図７に示す。図７に示すように、操作端末２の表示部１７に表示された入力操作画面１７Ａに、「ＣＬＯＳＥＤ」のテキストＲを含む、ラベル幅２９ｍｍのテンプレートＴが表示されている。この「ＣＬＯＳＥＤ」テンプレートＴを用いてラベルプリンタ３′によって作成された印字ラベルＬは、上記同様、ラベル裏面に備えられた剥離紙（図示省略）を剥がすことで、例えば店舗の出入口ドアに設けられるボード（上記と同一のボード）の他方側の面（裏側の面）に貼り付けられる。そして、この印字ラベルＬは、上記「ＣＬＯＳＥＤ」の文字によって、当該店舗の営業時間外であることを表記する。
【００３９】
ここで、図４に関連して上述したように、互いに異なる種類のラベルプリンタ３等のそれぞれに対応して、それぞれ別個にテンプレートが用意されている。しかしながら、用途という観点で見た場合に、上記のように異なるテンプレートであっても共通性を備える場合がある。図４に示した場合には、ラベルプリンタ３用の「Ｓｔｏｒｅ」とラベルプリンタ３′用の「Ｂｏａｒｄ」とは、互いに「ショップ向け」用途である点で共通する。したがって、例えば過去にラベルプリンタ３′用の「Ｂｏａｒｄ」のテンプレートの使用履歴が存在した場合、その後ラベルプリンタ３が使用される場合には、同一操作者であれば「Ｓｔｏｒｅ」に属するテンプレートを使用する可能性が高い。同様に、ラベルプリンタ３用の「Ｏｆｆｉｃｅ」とラベルプリンタ３′用の「Ｓｔｒｕｃｔｕｒｅ」とは、互いに「企業向け」用途である点で共通する。したがって、例えば過去にラベルプリンタ３用の「Ｏｆｆｉｃｅ」のテンプレートの使用履歴が存在した場合、その後ラベルプリンタ３′が使用される場合には、同一操作者であれば「Ｓｔｒｕｃｔｕｒｅ」に属するテンプレートを使用する可能性が高い。このように、本実施形態では、互いに異なる機種にそれぞれ対応した異なる種類のテンプレートについて、一方のテンプレート使用履歴から、同一（又は類似の）用途である他方のテンプレートの使用が類推され、当該他方のテンプレートが上記リストにおいてなるべく上位に表示される。これにより、操作者がインストールしたい特定のテンプレートＴの識別情報を、少ない操作労力で迅速かつ容易に見つけ出すことができるように、図られている。
【００４０】
＜実施形態の具体的手法＞
上記のような本実施形態の手法を、図８を用いて具体的に説明する。なお、この図では、上述したように、過去にラベルプリンタ３′を用いた使用履歴がある状態で、ラベルプリンタ３に対する操作が行われる場合を示している。
【００４１】
図８において、上記図３の比較例と同様、操作端末２の上記表示部１７に表示された機器表示ボックス１７ａにおいて、操作者が、操作する特定の機種としてラベルプリンタ３の識別情報（この例では「ＰＴ−２７３０」という機種名）を選択する。すると、コンテンツサーバＳＶにおいて、当該機種に対応した、全てのテンプレートが検索される。そして、その検索結果が、上記同様、操作端末２の表示部１７のファイル一覧ボックス１７ｂにリスト表示される。
【００４２】
このとき、本実施形態においては、操作者による、コンテンツサーバＳＶからのテンプレートＴの過去のインストール履歴が、操作端末２のメモリ１３内の機種別インストール履歴格納部１３ａに順次保存されている。そしてこのインストール履歴を利用して、上記リストにおける表示態様が変化する。
【００４３】
具体的には、この例では、上記ラベルプリンタ３とは異なる他の機種である上記ラベルプリンタ３′（他の印字ラベル作成装置に相当）に対する、当該操作者によるテンプレートＴ（他装置コンテンツに相当）のインストール履歴が、ＣＰＵ１２によって上記機種別インストール履歴格納部１３ａから取得される。この例では、上記ラベルプリンタ３′に対する、前述の「Ｂｏａｒｄ」に属するテンプレートＴのインストール履歴が取得された場合を示している。すなわち、図４を用いて前述したように、この「Ｂｏａｒｄ」はショップ向け用途のテンプレート（詳細には複数のテンプレートを備えたフォルダ）である。これに応じて、上記表示されるリスト中の複数のテンプレートＴの識別情報が、上記ショップ向け用途に対応した「Ｓｔｏｒｅ」が最上位となるように並べ替えられる。
【００４４】
上記並べ替えにより、表示部１７のファイル一覧ボックス１７ｂのリスト表示において、「Ｓｔｏｒｅ」テンプレートが最も上に表示される。このように、操作者がよく使用すると類推されるカテゴリ（この例では「Ｓｔｏｒｅ」）を上位に表示することにより、上記比較例のように、操作者がインストールしたい特定のテンプレートの識別情報をなかなか見つけることができないといった不便を解消する。すなわち、上記特定のテンプレートを操作者が容易に見つけ出して選択することができ、利便性を高めることができる。
【００４５】
＜制御手順＞
以上の機能を実行するために操作端末２のＣＰＵ１２によって実行される制御手順を図９に示す。
【００４６】
図９において、コンテンツサーバＳＶに操作端末２が接続され、さらに操作端末に（今回操作対象とする）ラベルプリンタ３が接続された状態で、操作者が操作部１４を適宜に操作することにより、このフローが開始される。
【００４７】
まず、ステップＳ１で、操作端末２のＣＰＵ１２は、操作者が操作対象として意図するプリンタ機種の識別情報（前述の例では、ラベルプリンタ３の機種名「ＰＴ−２７３０」）が、上記表示部１７の機器表示ボックス１７ａで選択されたかどうかを判定する。プリンタ機種の識別情報が選択されるまではステップＳ１の判定が満たされず（Ｓ１：ＮＯ）ループ待機し、選択されたらステップＳ１の判定が満たされて（Ｓ１：ＹＥＳ）、ステップＳ２に移行する。なお、このステップＳ１が、各請求項記載の装置選択受付手順に相当する。
【００４８】
なお、この際、既に過去に接続されて使用されたラベルプリンタ３等については、当該ラベルプリンタ３等の機種に対応したプリンタドライバが操作端末２の適宜の箇所（例えばメモリ１３等）にインストール済みである。したがって、ＣＰＵ１２は、このインストール済みのプリンタドライバを検索することにより、過去に接続されたことのあるラベルプリンタ３等の識別情報（機種名等）を取得することができる。それら過去に接続されたラベルプリンタ３等の識別情報が機器表示ボックス１７ａに選択可能に表示されることで、操作者はそれらの中から特定の機種を選択することができる。
【００４９】
ステップＳ２では、ＣＰＵ１２は、上記ステップＳ１で選択されたラベルプリンタ３の識別情報（前述の例では「ＰＴ−２７３０」という機種名）を、通信制御部１５を介し、コンテンツサーバＳＶに送信する。その後、ステップＳ３に移行する。なお、このステップＳ２が、各請求項記載の識別情報送信手順に相当する。
【００５０】
ステップＳ３では、ＣＰＵ１２は、上記ステップＳ２で送信されたラベルプリンタ３の識別情報に対応したコンテンツサーバＳＶの検索結果である、上記識別情報に対応した全てのテンプレートＴ（例えば、上記した新旧全バージョンを含む「Ａｍｕｓｅｍｅｎｔ」テンプレート、「Ｂａｂｙｓｉｔｔｉｎｇ」テンプレート、「Ｃａｂｉｎ」テンプレート等々）のリストを受信する。なお、このステップＳ３が、各請求項記載のリスト取得手順に相当する。
【００５１】
その後、ステップＳ４で、ＣＰＵ１２は、上記ステップＳ３で取得されたリスト中に、メモリ１３のテンプレート格納部１３ｂに既に記憶済みのテンプレートＴがあるかどうかを判定する。記憶済みのテンプレートＴがある場合には、ステップＳ４の判定が満たされて（Ｓ４：ＹＥＳ）、ステップＳ５に移行する。すなわち、テンプレート格納部１３ｂに既に記憶済みであるテンプレートについては、（同一のものを）再度インストールする必要がない。したがって、ステップＳ５で、ＣＰＵ１２は、メモリ１３のテンプレート格納部１３ｂに記憶済みのテンプレートＴの識別名称（テンプレート名等）を、上記ステップＳ３で取得されたリストから、除外する。その後、後述のステップＳ６に移行する。
【００５２】
一方、上記ステップＳ４で、上記ステップＳ３で取得されたリスト中に、テンプレート格納部１３ｂに記憶済みのテンプレートＴがない場合には、ステップＳ４の判定が満たされず（Ｓ４：ＮＯ）、直接ステップＳ６に移行する。
【００５３】
ステップＳ６では、ＣＰＵ１２は、メモリ１３内の機種別インストール履歴格納部１３ａに既に保存されているインストール履歴情報から、現状接続されているラベルプリンタ３とは異なる、他の機種のラベルプリンタ３′のテンプレートインストール履歴情報を取得する。前述の例では、過去において、ラベルプリンタ３′での使用のために「Ｂｏａｒｄ」がインストールされた、という履歴情報が取得される。なお、このステップＳ６が、各請求項記載の他装置コンテンツ履歴取得手順に相当する。
【００５４】
その後、ステップＳ７では、ＣＰＵ１２は、上記ステップＳ３で取得されたリスト中の複数のテンプレートＴの識別情報を、上記ステップＳ６で取得されたラベルプリンタ３′のインストール履歴に応じて、（前述のような同一・類似カテゴリ優先で）並べ替える。上記の例では、ＣＰＵ１２は、ラベルプリンタ３′用の上記「Ｂｏａｒｄ」と同一のショップ向け用途である、ラベルプリンタ３用の上記「Ｓｔｏｒｅ」が優先され最上位となるように、並べ替える。なお、このステップＳ７が、各請求項記載の並べ替え手順に相当する。
【００５５】
そして、ステップＳ８で、ＣＰＵ１２は、上記ステップＳ７で並べ替えられた順番で、操作端末２の表示部１７のファイル一覧ボックス１７ｂに、複数のテンプレートＴの識別情報をリスト形式で一覧表示する。その後、ステップＳ９に移行する。なお、このステップＳ８が、各請求項記載のコンテンツ表示手順に相当する。
【００５６】
ステップＳ９では、ＣＰＵ１２は、操作者が操作部１４によって上記表示したリストのうちいずれかのテンプレートＴを選択したか、すなわちいずれかのテンプレートＴ（例えば上記した「Ｓｔｏｒｅ」テンプレート）のチェックボックスにチェックが入ったかどうかを判定する。図１０に、上記ステップＳ９において表示部１７に表示される入力操作画面１７Ａを示す。
【００５７】
図示のように、この入力操作画面１７Ａでは、ラベルプリンタ３等の識別情報を選択可能に表示する上記機器表示ボックス１７ａと、上述のテンプレートＴのリスト表示を行う上記ファイル一覧ボックス１７ｂと、「閉じる」ボタン１７ｃと、「転送」ボタン１７ｄと、「リスト更新」ボタン１７ｅと、が設けられている。図示の例では、前述したように、機種名「ＰＴ−２７３０」に対応してファイル一覧ボックス１７ｂの最上位に、上記「Ｓｔｏｒｅ」テンプレートが表示されている。そして、操作部１４における操作者の操作により、その最上位にある「Ｓｔｏｒｅ」テンプレートが選択された（チェックボックスにチェックされた）状態を表している。
【００５８】
図９に戻り、上記のようにしてテンプレートＴが選択されるまではステップＳ９の判定が満たされず（Ｓ９：ＮＯ）ループ待機し、選択されたらステップＳ９の判定が満たされて（Ｓ９：ＹＥＳ）、ステップＳ１０に移行する。
【００５９】
ステップＳ１０では、ＣＰＵ１２は、上記転送ボタン１７ｄの操作により、操作者からのインストール指示があったかどうかを判定する。インストール指示があるまでステップＳ１０の判定が満たされず（Ｓ１０：ＮＯ）ループ待機する。インストール指示があったらステップＳ１０の判定が満たされて（Ｓ１０：ＹＥＳ）、ステップＳ１１に移行する。
【００６０】
ステップＳ１１では、ＣＰＵ１２は、上記ステップＳ１０において操作者からのインストール指示があった上記テンプレートＴについて、コンテンツサーバＳＶから操作端末２へのインストール処理を実行する。これにより、操作端末２のメモリ１３内のテンプレート格納部１３ｂに、上記インストールされたテンプレートＴが格納され、アップデートされる。その後、フローを終了する。なお、このステップＳ１１が、各請求項記載のインストール処理手順に相当する。
【００６１】
なお、上記した図９のフローを実行するコンテンツ処理プログラムは、事前に上記メモリ１３のＲＯＭに記憶させるのではなく、適宜の記録媒体に記録しておいても良い。この場合、当該記録媒体に対し適宜のタイミングで操作端末２のＣＰＵ１２が読み取りを行って当該コンテンツ処理プログラムの取得を行い、取得後にＣＰＵ１２が当該プログラムを実行する。
【００６２】
以上説明したように、本実施形態においては、操作者が操作対象として意図するラベルプリンタ３を選択すると、インストール候補となる複数のテンプレートＴが、過去の当該操作者による他の機種のラベルプリンタ３′に対するインストール履歴を参照した並び順序でリスト表示される。これにより、テンプレートＴの識別情報が単にアルファベット順やサイズ順や作成日時順等でリスト表示される場合に比べ、操作者は、インストールしたい特定のテンプレートＴの識別情報を、少ない操作労力で迅速かつ容易に見つけ出すことができる。この結果、操作者の利便性を向上することができる。
【００６３】
また、本実施形態では特に、インストール候補となるテンプレートＴのうち、過去に他の機種のラベルプリンタ３等にインストールされたテンプレートＴとカテゴリ（図４に示した各種の用途参照）が同一又は類似するものが、優先的に表示される。この結果、操作者は、インストールしたい特定のテンプレートＴの識別情報を確実に見つけ出すことができる。
【００６４】
なお、本発明は、上記実施形態に限られるものではなく、その趣旨及び技術的思想を逸脱しない範囲内で種々の変形が可能である。以下にその変形例について説明する。
【００６５】
（１）テープ幅別印刷回数にも応じて並べ替える場合
すなわち、本変形例においては、インストール候補となるテンプレートＴが並べ替えられて表示される際、操作者がラベルプリンタ３等においてよく使用するテープ２０３の属性（例えば１５ｍｍ、１２ｍｍ、８ｍｍ等のテープ幅等）もさらに加味して、上記並べ替え及び表示が行われる。
【００６６】
本変形例における操作端末２のＣＰＵ１２によって実行される制御手順を図１１に示す。この図１１においては、上記実施形態の図９におけるステップＳ６とステップＳ７との間に、ステップＳ６ａとステップＳ６ｂとが新たに設けられる。
【００６７】
すなわち、ＣＰＵ１２は、上記ステップＳ６で、前述したように、メモリ１３内の機種別インストール履歴格納部１３ａに既に保存されているインストール履歴情報から、現状接続されているラベルプリンタ３とは異なる、他の機種のラベルプリンタ３′のテンプレートインストール履歴情報を取得する。その後、ステップＳ６ａで、ＣＰＵ１２は、通信制御部２０８を介して、上記ステップＳ１で選択を受け付けたラベルプリンタ３にアクセスする。その後、ステップＳ６ｂに移る。
【００６８】
ステップＳ６ｂでは、ＣＰＵ１２は、ラベルプリンタ３の制御回路２０２のメモリ２０２Ａに記憶されている、印字ラベルＬの作成履歴に基づくテープ２０３の属性別（この例ではテープ幅別）の印刷回数情報（使用頻度情報）を取得する。これにより、例えば１５ｍｍ、１２ｍｍ、８ｍｍ等のテープ２０３のテープ幅種類のうち、１５ｍｍ幅のテープ２０３の使用頻度が最も高い、等の情報が取得される。その後、上記ステップＳ７に移る。なお、このステップＳ６ｂが、各請求項記載のテープ属性情報取得手順に相当する。
【００６９】
そして、上記ステップＳ７においては、上記ステップＳ６で取得された上記他の機種であるラベルプリンタ３′用のテンプレートＴのインストール履歴と、上記ステップＳ６ｂで取得されたテープ２０３の属性別の使用頻度情報（テープ幅別印刷回数）とに応じて、上記複数のテンプレートＴの識別情報を並べ替える。この結果、上述の例では、ファイル一覧ボックス１７ｂの最上位には、例えば上記したラベルプリンタ３′用の「Ｂｏａｒｄ」テンプレートに対応したラベルプリンタ３用の「Ｓｔｏｒｅ」テンプレートで、かつ「１５ｍｍ」バージョンが、上記ステップＳ８において優先的に表示される。
【００７０】
上記以外の手順は上記実施形態の制御手順と同じなので、詳細な説明を省略する。
【００７１】
本変形例によれば、操作者がラベルプリンタ３等においてよく使用するテープ２０３の属性もさらに加味して並べ替えが行われるので、操作者は、インストールしたい特定のテンプレートＴの識別情報をさらに確実に見つけ出すことができる。
【００７２】
（２）テンプレートカテゴリ別の印刷回数にも応じて並べ替える場合
すなわち、本変形例においては、インストール候補となるテンプレートＴが並べ替えられて表示される際、上記（１）の手法に加え、操作者がラベルプリンタ３等においてよく使用するテンプレートＴのカテゴリもさらに加味して、上記並べ替え及び表示が行われる。
【００７３】
すなわち、本変形例では、操作端末２のＣＰＵ１２は、ステップＳ６ａにおいて、通信制御部２０８を介して、上記ステップＳ１で選択を受け付けたラベルプリンタ３にアクセスした後、上記ステップＳ６ｂとは別に設けた手順で、当該ラベルプリンタ３による印字ラベルＬの作成履歴に基づく、作成時に使用したテンプレートＴのカテゴリ別の使用頻度情報を、制御回路２０２のメモリ２０２Ａから取得する。なお、この手順が、各請求項記載のコンテンツカテゴリ取得手順に相当する。この例では、テンプレートＴのカテゴリの類型として、例えばカジュアル風（例えば多めの飾り付き）、フォーマル（例えば飾り無し）、ノーマル（例えば少なめの飾り付き）、等がある。この例では、例えばカジュアル風のテンプレートＴの使用頻度が最も高い、等の情報が取得される。
【００７４】
そして、ＣＰＵ１２は、その後のステップＳ７で、上記ステップＳ６で取得された上記他の機種であるラベルプリンタ３′用のテンプレートＴのインストール履歴と、上記ステップＳ６ｂで取得されたテープ２０３の属性別の使用頻度情報（テープ幅別印刷回数）と、さらに上記取得されたテンプレートＴのカテゴリ別の使用頻度情報とに応じて、上記複数のテンプレートＴの識別情報を並べ替える。この結果、上述の例では、ファイル一覧ボックス１７ｂの最上位には、例えば上記したラベルプリンタ３′用の「Ｂｏａｒｄ」テンプレートに対応したラベルプリンタ３用の「Ｓｔｏｒｅ」テンプレートで、かつ「１５ｍｍ」バージョンで、かつ、「カジュアル風」であるテンプレートが、上記ステップＳ８において優先的に表示される。
【００７５】
上記以外の手順は上記実施形態及び（１）の変形例の制御手順と同じなので、詳細な説明を省略する。
【００７６】
本変形例によれば、操作者がラベルプリンタ３等においてよく使用するテープ２０３の属性及びテンプレートＴのカテゴリもさらに加味して並べ替えが行われるので、操作者は、インストールしたい特定のテンプレートＴの識別情報をさらに確実に見つけ出すことができる。
【００７７】
（３）その他
また、上記（１）の変形例や（２）の変形例のように、ラベルプリンタ３にアクセスしてテープ幅別使用頻度情報やカテゴリ別使用頻度情報を制御回路２０２のメモリ２０２Ａから取得するのには限られない。すなわち、ＣＰＵ１２は、操作端末２のテンプレート格納部１３ｂに予め記憶されたテープ幅別ダウンロード回数及びカテゴリ別ダウンロード回数を当該テンプレート格納部１３ｂから取得し、この取得情報に応じて複数のテンプレートＴの識別情報を並べ替えてもよい。本変形例においても、上記と同様の効果が得られる。
【００７８】
また、上記の例では、コンテンツの一例として、ラベル作成時に用いるテンプレートＴを例にとって説明したが、これに限られない。すなわち、その他のラベル作成に関連して使用される画像や、ＯＳやアプリケーションや各種ドライバ等のソフトウェア、などを本発明の処理対象としてもよい。この場合も同様の効果を得る。
【００７９】
さらに、上記の例では、操作端末２にインストールされるテンプレートＴを本発明の処理対象とした場合を例にとって説明したが、これに限られない。印字ラベルＬを作成するラベルプリンタ３等に対しインストールされるテンプレートＴを、上記同様に本発明の処理対象としてもよい。この場合も同様の効果を得る。
【００８０】
また、図２の図中に示す矢印は信号の流れの一例を示すものであり、信号の流れ方向を限定するものではない。
【００８１】
また、図９、図１１に示すフローチャートは本発明を上記フローに示す手順に限定するものではなく、発明の趣旨及び技術的思想を逸脱しない範囲内で手順の追加・削除又は順番の変更等をしてもよい。
【００８２】
その他、一々例示はしないが、本発明は、その趣旨を逸脱しない範囲内において、種々の変更が加えられて実施されるものである。
【符号の説明】
【００８３】
１                コンテンツ情報処理システム
２                操作端末
３                ラベルプリンタ（印字ラベル作成装置）
３′              ラベルプリンタ（印字ラベル作成装置）
１２              ＣＰＵ（演算手段）
１４              操作部
１６０            大容量記憶装置
２０５            印字ヘッド（印字手段）
２０３            テープ（被印字テープ）
２０９            搬送装置（搬送手段）
Ｌ                印字ラベル
ＳＶ              コンテンツサーバ
Ｔ                テンプレート（コンテンツ）
【図１】
0005861878.tif 000002
【図２】
0005861878.tif 000003
【図３】
0005861878.tif 000004
【図４】
0005861878.tif 000005
【図５】
0005861878.tif 000006
【図６】
0005861878.tif 000007
【図７】
0005861878.tif 000008
【図８】
0005861878.tif 000009
【図９】
0005861878.tif 000010
【図１０】
0005861878.tif 000011
【図１１】
0005861878.tif 000012